(57)【要約】【課題】  ハウス側面を開閉する手段としては、マイカ線の巻取り、巻戻しを利用して、側面全体を開閉する構成が知られている。また、ビニールフィルム等張りの窓枠構造がある。しかし、何れも、ハウスの側面、又は吸入口を開閉する構造としては、有効でない。【解決手段】  ハウスの側面となる面にセットされた三連でなる第１〜第３シャッタプレートを備えた構造のハウスの各面の吸入口用シャッタ装置であって、第１〜第３シャッタプレートを、同時に開閉するために、第１シャッタプレートを、モータと、モータに設けた第１クランクとで開閉し、開閉に同期して、第２、第３シャッタプレートを、第１クランクと同期する第２、第３クランクで開閉するハウスの各面の吸入口用シャッタ装置である。シャッタプレート（シャッタ）を大型化した第１〜第３シャッタプレートを取入れた、全く新しい、外気・外気温の影響を受けない、シャッタ装置である。【選択図】      図１
2015019584.tif 000002
【特許請求の範囲】
【請求項１】
ハウスの面に設けた一枚、又は複数枚のシャッタプレートを備えた構造のハウスの各面の吸入口用シャッタ装置であって、
この各シャッタプレートの開閉制御を行う装置は、駆動側のシャッタプレートを開閉し、この駆動側のシャッタプレートの開閉に同期して、従動側のシャッタプレートの開閉を可能とする構成としたハウスの各面の吸入口用シャッタ装置。
【請求項２】
ハウスの面に設けた三連でなる第１〜第３シャッタプレートを備えた構造のハウスの各面の吸入口用シャッタ装置であって、
このシャッタ装置は、躯体に取付けられる軸受と、この軸受を介して支持される三連軸と、この三連軸の中心の軸を駆動するモータと、この軸に設けた回転板及びカムと、この回転板に設けた第１クランクと、この第１クランクに基端を枢着した第１クランクアームと、この第１クランクアームの自由端に設け、かつ前記躯体に支持する第１シャッタプレートと、前記三連軸の他の左右軸に基端を設けた第２、第３クランクと、この第２、第３クランクに基端を枢着した第２、第３クランクアームと、この第２、第３クランクアームの自由端を、前記第２、第３シャッタプレートに枢着するとともに、この第２、第３シャッタプレートの基端を前記躯体に支持する構成としたハウスの各面の吸入口用シャッタ装置。
【請求項３】
請求項１、又は請求項２に記載のハウスの各面の吸入口用シャッタ装置であって、
前記三連軸を、第１回転軸〜第３回転軸とし、この第１回転軸を前記モータの出力軸に直結するとともに、この第１回転軸と第２、第３回転軸を、カップリングを介して連繋する構成としたハウスの各面の吸入口用シャッタ装置。
【請求項４】
請求項１、又は請求項２に記載のハウスの各面の吸入口用シャッタ装置であって、
前記三連軸に設けた各回転板と、この各回転板に、それぞれ設けた各クランクと、この各クランクに基端を設けた各クランクアームの自由端に、側面に枢着した各シャッタプレートの基端を固着し、この各シャッタプレートは、この枢着箇所を支点とし、かつ各クランクアームの自由端の可動で、この側面の開口部を開閉する構成としたハウスの各面の吸入口用シャッタ装置。
【請求項５】
請求項２に記載のハウスの各面の吸入口用シャッタ装置であって、
前記シャッタ装置の枠体に設けた第１、第２リミットスイッチと、第１、第２ドッグとをそれぞれ設け、この第１、第２リミットスイッチのレバーを、前記カムで制御し、この第１、第２リミットスイッチの各レバーと、この第１、第２ドッグとの、それぞれの接離を介して、前記第１、第２シャッタプレートが、開閉する構成としたハウスの各面の吸入口用シャッタ装置。
【発明の詳細な説明】
【技術分野】
【０００１】
本発明は、ハウスの面（原則として、側面で説明する）に、三連でなる第１〜第３シャッタプレートを備えた構造のハウスの各面の吸入口用シャッタ装置に関する。
【背景技術】
【０００２】
ハウス側面を開閉する手段としては、マイカ線の巻取り、巻戻しを利用して、側面全体を開閉する構成が知られている。例えば、特開２００２−２３８３６４号公報である。この構造は、マイカ線でビニールフィルムを巻取り、巻戻して、側面を開閉することを特徴とする。また、この構造は、ビニールフィルムを巻取り、巻戻しによる開閉であり、側面の全体の開閉である。従って、側面の一部、例えば、棟方向の両隅のみの開閉ができないので、両隅より、低温低湿の外気吸込みとか、炭酸ガスの吸込みができないこと、又は奥行があるハウスでは、作物の生育に斑が発生すること、等の問題を抱えている。その他、ハウスにおける部分的な昇温・高湿対策等には、不向きであることが考えられる。
【０００３】
その後、側面、又は屋根面の一部を開閉し、従来の不具合を直すことができる発明が提案されている。例えば、特開２００５−２４５２０３号公報、特開２０１１−１７２５６０号公報、特開２０１２−９２９９６号公報である。これらの構造では、窓枠とビニールフィルム、又は窓枠と網とによる窓の開閉であり、従来の方法の範疇である。また、窓枠と、この窓枠を開閉するリンク機構、又は牽引ロープと、モータと、ねじ桿、或いはリンク機構等を利用して開閉する。従って、前述の文献と同様に構造が複雑化する。
【０００４】
【特許文献１】特開２００２−２３８３６４号公報
【特許文献２】特開２００５−２４５２０３号公報
【特許文献３】特開２０１１−１７２５６０号公報
【特許文献４】特開２０１２−９２９９６号公報
【発明の概要】
【発明が解決しようとする課題】
【０００５】
上記に鑑み、本発明は、これまでの概念を払拭し、新規（寸法、及び／又は材質等が、従来とは異なる）の第１〜第３シャッタプレート（シャッタプレートの枚数は、一例である）を取入れる。全く新しく、かつ外気、及び／又は、外気温の影響を受けない、ハウス側面の吸入口（吸込口）用シャッタプレート（シャッタ装置）を提供する。
【０００６】
従って、ハウス側面が、すっきりした形態を確保でき、かつ外気、及び／又は、外気温の影響を受けることなく、ハウス内の温湿度調整が図れること、省エネに貢献できること、等の特徴がある。
【０００７】
また、側面の一部、例えば、棟方向の両隅のみ（生育の遅れている箇所）の開閉ができるので、両隅より、低温低湿の外気吸込みとか、炭酸ガスの吸込みができること、又は奥行があるハウスでは、作物の生育に斑がなく、略均一な生育が図れること、等の有利性がある。その他、ハウスにおける部分的な昇温・高湿対策等において、最適なハウスの各面の吸入口用シャッタ装置を提供できる等の実益がある。これにより、例えば、作物の生育と、生育の均一化が図れること、等の生産物の品質向上に寄与できる。その他として、例えば、畜舎等に使用した場合には、家畜の健康維持、成育促進、畜産品の品質向上等が図れる。
【課題を解決するための手段】
【０００８】
前述した目的と、効果とを達成するために、請求項１〜請求項５に記載のハウスの各面の吸入口用シャッタ装置を提供する。
【発明の効果】
【０００９】
請求項１の発明は、ハウスの面に設けた一枚、又は複数枚のシャッタプレートを備えた構造のハウスの各面の吸入口用シャッタ装置であって、
各シャッタプレートの開閉制御を行う装置は、駆動側のシャッタプレートを開閉し、駆動側のシャッタプレートの開閉に同期して、従動側のシャッタプレートの開閉を可能とする構成としたハウスの各面の吸入口用シャッタ装置である。
【００１０】
新規の大型化したシャッタプレート（シャッタ）、即ち、第１〜第３シャッタプレートを取入れる構造であり、全く新しく、かつ外気、及び／又は、外気温の影響を受けない、ハウスの側面の吸入口用シャッタプレート（シャッタ装置）を提供できる。また、側面の一部（部分的）、例えば、棟方向の両隅のみの開閉ができるので、両隅より、低温低湿の外気吸込みとか、炭酸ガスの吸込みができること、又は奥行があるハウスでは、作物の生育に斑がなく、略均一な生育が図れること、等の効果と、その他、ハウスにおける一部な昇温・高湿対策等には、最適なハウスの各面の吸入口用シャッタ装置を提供できること、等の実益がある。作物の生育と、生育の均一化が図れること、等の生産物の品質向上に寄与できる。シャッタ装置は、ハウスの面の全部に一基、又は複数基設け、それぞれ個別に制御し、ハウス内の適所を、昇温・高湿対策等をはかることが望ましい。その他として、例えば、畜舎等に使用した場合には、家畜の健康維持、成育促進、畜産品の品質向上等が期待できる、等の包括的な特徴が図れる。
【００１１】
請求項２の発明では、シャッタ装置は、躯体に取付けられる軸受と、軸受を介して支持される三連軸と、三連軸の中心の軸を駆動するモータと、軸に設けた回転板及びカムと、回転板に設けた第１クランクと、第１クランクに基端を枢着した第１クランクアームと、第１クランクアームの自由端に設け、かつ躯体に支持する第１シャッタプレートと、三連軸の他の左右軸に基端を設けた第２、第３クランクと、第２、第３クランクに基端を枢着した第２、第３クランクアームと、第２、第３クランクアームの自由端を、第２、第３シャッタプレートに枢着するとともに、第２、第３シャッタプレートの基端を躯体に支持する構成としたハウスの各面の吸入口用シャッタ装置である。
【００１２】
これにより、請求項１の効果を達成できる具体的なハウスの各面の吸入口用シャッタ装置を提供できる。
【００１３】
請求項３の発明では、三連軸を、第１回転軸〜第３回転軸とし、第１回転軸を前記モータの出力軸に直結するとともに、第１回転軸と第２、第３回転軸を、カップリングを介して連繋するハウスの各面の吸入口用シャッタ装置である。
【００１４】
これにより、請求項１、又は請求項２の効果を達成できる具体的な三連軸の構造を提供できる。
【００１５】
請求項４の発明では、三連軸に設けた各回転板と、各回転板に、それぞれ設けた各クランクと、各クランクに基端を設けた各クランクアームの自由端に、側面に枢着した各シャッタプレートの基端を固着し、各シャッタプレートは、枢着箇所を支点とし、かつ各クランクアームの自由端の可動で、側面の開口部を開閉するハウスの各面の吸入口用シャッタ装置である。
【００１６】
これにより、請求項１、又は請求項２の効果を達成できる具体的な三連軸とクランク機構の構造を提供できる。
【００１７】
請求項５の発明では、シャッタ装置の枠体に設けた第１、第２リミットスイッチと、第１、第２ドッグとをそれぞれ設け、第１、第２リミットスイッチのレバーを、カムで制御し、この第１、第２リミットスイッチの各レバーと、第１、第２ドッグとの、それぞれの接離を介して、第１、第２シャッタプレートが、開閉する構成としたハウスの各面の吸入口用シャッタ装置である。
【００１８】
これにより、請求項１、又は請求項２の効果を達成できる具体的な第１、第２リミットスイッチの構造を提供できる。
【図面の簡単な説明】
【００１９】
【図１】三連軸の吸入口用シャッタ装置をハウスに設置し、かつその要部を示した縮尺正面図
【図２】図１に示したシャッタ装置の駆動側のシャッタプレートであって、モータ、第１軸と、第１シャッタプレートとカップリング（継手）との関係を示した正面図
【図３】図１に示したシャッタ装置の従動側のシャッタプレートであって、第２軸と、第２シャッタプレートとカップリングとの関係を示した正面図
【図４】図１に示したシャッタ装置の従動側のシャッタプレートであって、第３軸と、第３シャッタプレートとカップリングとの関係を示した正面図
【図５】図１に示したシャッタ装置の駆動側のシャッタプレートであって、モータ、第１軸と、第１シャッタプレート、第１クランク、第１クランクアーム、第１カムとの関係を示した側面図
【図６】図１に示したシャッタ装置の従動側のシャッタプレートであって、モータ、第２軸と、第２シャッタプレート、第２クランク、第２クランクアーム、第２カムとの関係を示した側面図
【図７】図１に示したシャッタ装置の従動側のシャッタプレートであって、モータ、第３軸と、第３シャッタプレート、第３クランク、第３クランクアーム、第３カムとの関係を示した側面図
【図８−１】図１に示したシャッタ装置の駆動側のシャッタプレートであって、モータ、第１軸と、第１シャッタプレートとリミットスイッチ等との関係を示したものであり、第１シャッタプレートが閉まっている状態の拡大側面図
【図８−２】図８−１における第１シャッタプレートが開いている状態の拡大側面図
【図９−１】本発明の吸入口用シャッタ装置をハウスの奥行に設置した一部を欠截する一例の模式図
【図９−２】本発明の吸入口用シャッタ装置をハウスの両側面に設置した一例の模式図
【図９−３】本発明の吸入口用シャッタ装置をハウスの側面の上下に設置した他の一例の側面図
【発明を実施するための形態】
【００２０】
図示したハウスの各面の吸入口用シャッタ装置Ａを、ハウスＨの屋根面（図示しない）、側面Ｈ２、妻面、その他の面（図示しない）の適所に設ける一基、又は数基の吸入口Ｈ３に、それぞれ設ける。この実施例では、三連でなる第１〜第３シャッタプレート１ａ〜１ｃを備えた構造であり、その好ましい、一例を順に説明する。尚、適所に設ける一基、又は数基の吸入口Ｈ３とは、図９−１〜図９−３の側面Ｈ２の一面、又は両面に設けるのが一例であり、その他として、例えば、屋根面と側面Ｈ２とに設ける例とか、屋根面と側面Ｈ２、並びに妻面／壁面とに設ける例の如く、それぞれのパターンがある。
【００２１】
このシャッタ装置Ａは、三連式（例であり、ｎ連式もあり得る）の第１〜第３シャッタプレート１ａ〜１ｃ（シャッタ装置Ａの駆動側の第１シャッタプレート１ａと、第２、第３シャッタ装置Ａの従動側のシャッタプレート１ｂ、１ｃ）で構成される。また、第１〜第３シャッタプレート１ａ〜１ｃの枚数は、（上下方向）鉛直方向において、一枚のみでなく、数枚の構造もある。この一例では、各第１〜第３シャッタプレート１ａ〜１ｃの開閉は、一枚の例の制御と、複数枚の例の制御とがある。以下、この第１〜第３シャッタプレート１ａ〜１ｃの構造を、個別に説明するが、共通事項は省略する。
：  シャッタ装置Ａの駆動側の第１シャッタプレート１ａを、図２と図５を基に説明すると、第１シャッタプレート１ａは、躯体Ｈ１の支持部Ａ１に、適宜間隔で取付けられる複数の軸受２と、この複数の軸受２を介して、側面Ｈ２に併設されるとともに、棟方向に設けられた三連の中心をなす第１軸３ａ（三連軸に限定されない）と、この第１軸３ａを駆動する駆動部となる支持部Ａ１に設けたモータ７と、このモータ７の出力軸７００に設けた第１カム８ａと、また、前記第１軸３ａに設けた第１回転板１０ａと、この第１回転板１０ａの側面に、その底部を設け、かつ三角頭部が、出力軸７００の放射方向に向いた三角形状の第１クランク１１ａと、この第１クランク１１ａの頭部に基端を支持した鉤形の第１クランクアーム１２ａと、この第１クランクアーム１２ａの自由端に枢着されるとともに、この枢着の下側において、前記支持部Ａ１に枢着された前記第１シャッタプレート１ａと、で構成される。この実施例では、第１カム８ａと、第１回転板１０ａ（ボス部）とは、一体構造とする。従って、図８−１に示した、第１シャッタプレート１ａが、側面Ｈ２を閉塞している状態において、この第１シャッタプレート１ａの開閉制御を行う装置は、モータ７が駆動し、第１軸３ａが回転し、第１カム８ａと第１回転板１０ａが回転することで、第１クランク１１ａが時計方向Ｘに回転するとともに、第１クランクアーム１２ａが同期する。即ち、図において、右側に下がることで、第１シャッタプレート１ａは、支持部Ａ１に枢着した枢着部位１５ａを支点として可動し、時計方向Ｘに回転する。この時計方向Ｘの回転を介して、第１シャッタプレート１ａの開放状態が確保される。これと同時に、図８−２の如く、シャッタ装置Ａの枠体に設けた第２リミットスッチ１６ｂのレバー１６ｂ１を、第１カム８ａが押して、第２ドッグ１７ｂから離脱することで、第１シャッタプレート１ａは、所定の位置で停止する。
【００２２】
この図８−２の状態では、図９−１〜図９−３で示したことが期待できる。即ち、図示の如く、一部（部分的）、又は多数の開放された吸入口Ｈ３から、例えば、低温／低湿の外気吸込みとか、炭酸ガスの吸込みができること、この吸込みに併せて、ハウスＨ内の高温／高湿の内気を、換気扇３０を介して、排出口Ｈ４より排出できる。これにより、例えば、ハウスＨ内の温湿度調整と、生育に最適な環境維持ができる。殊に奥行があるハウスＨでは、作物の生育に斑がなく、略均一な生育が図れること、等の有効性がある。また、その他、ハウスＨにおける一部、又は全体の昇温・高湿対策には、最適なハウスＨ側面吸入口用のシャッタ装置（ハウスの各面の吸入口用シャッタ装置）を提供できること、等の実益がある。そして、例えば、作物の生育と、生育の均一化が図れること、等の生産物の品質向上に寄与できる。図９−１においては、ハウスＨの全部に、シャッタ装置Ａを設置した一例である。この実施例では、シャッタ装置Ａは、ハウスＨの面の全部に複数基設け、それぞれ個別に制御、或いは全体を制御し、ハウスＨ内の適所、或いは全体を、昇温・高湿対策等を図ることが望ましい。尚、図９−２、図９−３の如く、シャッタ装置Ａを、面の奥行（棟方向）、及び／又は、面の上下（面の鉛直方向）個別に制御し、ハウスＨ内の個別に、昇温・高湿対策等を図ることも可能である。また、その他として、例えば、畜舎等に使用した場合には、家畜の健康維持、成育促進、畜産品の品質向上等が期待できる、等の包括的な特徴が図れる。
【００２３】
この図８−２の開放状態から、最初の状態、図８−１の閉塞状態に戻るのは、前述の逆である。そして、シャッタ装置Ａの枠体に設けた第１リミットスッチ１６ａのレバー１６ａ１を、第１カム８ａが押して、第１ドッグ１７ａから離脱することで、第１シャッタプレート１ａは、所定の位置で停止する。
：  シャッタ装置Ａの駆動側の第２シャッタプレート１ａを、図３と図６を基に説明すると、第２シャッタプレート１ｂは、躯体Ｈ１の支持部Ａ１に、適宜間隔で取付けられる複数の軸受２と、この複数の軸受２を介して、側面Ｈ２に併設されるとともに、棟方向に設けられた三連の中で、向かって右側となる第２軸３ｂ（三連軸に限定されない）と、この第２軸３ｂは、第１軸３ａとカップリング２０を介して連繋されている。また、この第２軸３ｂには、第２カム８ｂと、また、前記第２軸３ｂに設けた第２回転板１０ｂと、この第２回転板１０ｂの側面に、その底部を設け、かつ三角頭部が、出力軸７００の放射方向に向いた三角形状の第２クランク１１ｂと、この第２クランク１１ｂの頭部に基端を支持した鉤形の第２クランクアーム１２ｂと、この第２クランクアーム１２ｂの自由端に枢着されるとともに、この枢着の下側において、前記支持部Ａ１に枢着された前記第２シャッタプレート１ｂと、で構成される。この実施例では、第２カム８ｂと、第２回転板１０ｂ（ボス部）とは、一体構造とする。従って、図８−１に示した、第２シャッタプレート１ｂが、側面Ｈ２を閉塞している状態において、この第２シャッタプレート１ｂの開閉制御を行う装置は、モータ７が駆動し、第１軸３ａの回転を受け、第２軸３ｂが回転する。この回転で、第２カム８ｂと第２回転板１０ｂが回転することで、第２クランク１１ｂが時計方向Ｘに回転するとともに、第２クランクアーム１２ｂが同期する。即ち、図において、右側に下がることで、第２シャッタプレート１ｂは、支持部Ａ１に枢着した枢着部位１５ｂを支点として可動し、時計方向Ｘに回転する。この時計方向Ｘの回転を介して、第２シャッタプレート１ｂの開放状態が確保されるとともに、開放状態での停止は、前記第１軸３ａと同期する。尚、最初の状態（図８−１）に戻るのは、前述の逆であり、前記第１軸３ａと同期し、所定の位置に停止する。
：  シャッタ装置Ａの駆動側の第３シャッタプレート１ｃを、図４と図７を基に説明すると、第３シャッタプレート１ｃは、躯体Ｈ１の支持部Ａ１に、適宜間隔で取付けられる複数の軸受２と、この複数の軸受２を介して、側面Ｈ２に併設されるとともに、棟方向に設けられた三連の中で、向かって左側となる第３軸３ｃ（三連軸に限定されない）と、この第３軸３ｃは、第１軸３ａとカップリング２０を介して連繋されている。また、この第３軸３ｃには、第３カム８ｃと、また、前記第３軸３ｃに設けた第３回転板１０ｃと、この第３回転板１０ｃの側面に、その底部を設け、かつ三角頭部が、出力軸７００の放射方向に向いた三角形状の第３クランク１１ｃと、この第３クランク１１ｃの頭部に基端を支持した鉤形の第３クランクアーム１２ｃと、この第３クランクアーム１２ｃの自由端に枢着されるとともに、この枢着の下側において、前記支持部Ａ１に枢着された前記第３シャッタプレート１ｃと、で構成される。この実施例では、第３カム８ｃと、第３回転板１０ｃ（ボス部）とは、一体構造とする。従って、図８−１に示した、第３シャッタプレート１ｃが、側面Ｈ２を閉塞している状態において、この第３シャッタプレート１ｃの開閉制御を行う装置は、モータ７が駆動し、第１軸３ａの回転を受け、第３軸３ｃが回転する。この回転で、第３カム８ｃと第３回転板１０ｃが回転することで、第３クランク１１ｃが時計方向Ｘに回転するとともに、第３クランクアーム１２ｃが同期する。即ち、図において、右側に下がることで、第３シャッタプレート１ｃは、支持部Ａ１に枢着した枢着部位１５ｃを支点として可動し、時計方向Ｘに回転する。この時計方向Ｘの回転を介して、第３シャッタプレート１ｃの開放状態が確保されるとともに、開放状態での停止は、前記第１軸３ａと同期する。尚、最初の状態（図８−１）に戻るのは、前述の逆であり、前記第１軸３ａと同期し、所定の位置に停止する。
【００２４】
以上のように、モータ７の回転を基点として第１軸３ａが回転し、同期して、第２軸３ｂ、並びに第３軸３ｃが回転する。この回転を介して、第１回転板〜第３回転板１０ａ〜１０ｃと、第１クランク〜第３クランク１１ａ〜１１ｃ、並びに第１クランクアーム〜第３クランクアーム１２ａ〜１２ｃとがそれぞれ作用することで、第１〜第３シャッタプレート１ａ〜１ｃは、同時に開閉する。この第１〜第３シャッタプレート１ａ〜１ｃの開閉で、側面Ｈ２に設けた吸入口Ｈ３を開閉する構造である。従って、本発明では、必要とする側面Ｈ２を開閉でき、例えば、ハウスＨ内の必要とする箇所（棟方向）、及び／又は、部位（鉛直方向）に、外気を吸込むことができることと、ハウスＨ内の作物の均等な栽培と成育が図れる。また、品質の一定性が確保できる特徴がある。
【００２５】
尚、第１〜第３シャッタプレート１ａ〜１ｃ（ｎシャッタプレート）は、合成樹脂で構成することで、外気温の影響を無くし、ハウスＨ内の温度調整が容易となる効果がある。また、第１〜第３シャッタプレート１ａ〜１ｃは、同様に、二重構造窓構造、防虫ネット構造とすることも有効である。また、第１〜第３シャッタプレート１ａ〜１ｃの開度調整、何れかの第１〜第３シャッタプレート１ａ〜１ｃを、個別に開閉する構造等の種々の態様が可能であり、もって、所期の目的を達成できる。
【符号の説明】
【００２６】
Ｈ              ハウス
Ｈ１            躯体
Ｈ２            側面
Ｈ３            吸入口
Ｈ４            排出口
Ａ              シャッタ装置
Ａ１            支持部
１ａ〜１ｃ      第１〜第３シャッタプレート
２              軸受
３ａ〜３ｃ      第１軸〜第３軸
７              モータ
７００          出力軸
８ａ〜８ｃ      第１カム〜第３カム
１０ａ〜１０ｃ  第１〜第３回転板
１１ａ〜１１ｃ  第１〜第３クランク
１２ａ〜１２ｃ  第１〜第３クランクアーム
１５ａ〜１５ｃ  枢着部位
１６ａ          第１リミットスイッチ
１６ａ１        レバー
１６ｂ          第２リミットスイッチ
１６ｂ１        レバー
１７ａ          第１ドッグ
１７ｂ          第２ドッグ
２０            カップリング
３０            換気扇
Ｘ              時計方向
【図１】
2015019584.tif 000003
【図２】
2015019584.tif 000004
【図３】
2015019584.tif 000005
【図４】
2015019584.tif 000006
【図５】
2015019584.tif 000007
【図６】
2015019584.tif 000008
【図７】
2015019584.tif 000009
【図８−１】
2015019584.tif 000010
【図８−２】
2015019584.tif 000011
【図９−１】
2015019584.tif 000012
【図９−２】
2015019584.tif 000013
【図９−３】
2015019584.tif 000014